(57)【要約】【課題】原稿読取センサを用いて適切に原稿サイズを検出する。【解決手段】スキャナ１は、搬送経路に沿って第一方向に搬送される媒体と、第一方向に直交する第二方向に延設される読取部３２と、搬送経路を介して、読取部３２に第一照射光を照射する照射部３４と、第二方向において検出される第一照射光の強度情報に基づいて、媒体の第二方向の長さを検出する検出部６６とを備える。例えば、照射部３４は、第一照射光の進行方向と、媒体の搬送方向とが鋭角を成すように、第一照射光を照射する。【選択図】図５
2016015718.tif 000002
【特許請求の範囲】
【請求項１】
搬送経路に沿って第一方向に搬送される媒体と、
前記第一方向に直交する第二方向に延設される読取部と、
前記搬送経路を介して、前記読取部に第一照射光を照射する第一照射部と、
前記第二方向において検出される前記第一照射光の強度情報に基づいて、前記媒体の前記第二方向の長さを検出する検出部とを備える
画像読取装置。
【請求項２】
前記第一照射部は、前記第一照射光の進行方向と、前記媒体の搬送方向とが鋭角を成すように、前記第一照射光を照射する 
請求項１に記載の画像読取装置。
【請求項３】
前記画像読取装置は、さらに、
前記搬送経路に対して前記読取部と同じ側に設けられる第二照射部を備え、
前記第一照射部は、前記検出部が前記長さを検出した後に前記第一照射光の照射を中止し、
前記第二照射部は、前記検出部が前記長さを検出した後に、前記媒体への第二照射光の照射を開始し、 
前記読取部は、前記第二照射部により照射され前記媒体により反射された光を受光することで、前記媒体を読み取る 
請求項２に記載の画像読取装置。
【請求項４】
前記検出部は、
ラインセンサを含み、
前記ラインセンサが受光した前記第一照射光の強度情報に基づいて、前記媒体の前記第二方向の長さを検出する
請求項３に記載の画像読取装置。
【請求項５】
前記検出部は、前記ラインセンサが受光した前記第一照射光の強度が閾値より高いか否かに基づいて前記媒体の前記第二方向の長さを検出し、 
前記閾値は、前記第一照射部により照射され前記媒体を透過した透過光を前記ラインセンサが受光する場合の強度より高く、かつ、前記第一照射光を前記ラインセンサが受光する場合の強度より低い 
請求項４に記載の画像読取装置。
【請求項６】
前記画像読取装置は、さらに、
前記搬送経路に対して前記読取部と同じ側に設けられる第三照射部を備え、
前記第一照射部は、前記第三照射部から照射される第三照射光を前記検出部に向けて反射させることで、第四照射光を照射する反射部を含み、
前記検出部は、前記第四照射光の強度情報に基づいて、前記媒体の端部を検出する
請求項３に記載の画像読取装置。
【請求項７】
前記検出部は、前記媒体による前記第三照射光の拡散反射光の強度情報に基づいて、前記媒体の端部を検知する 
請求項６に記載の画像読取装置。
【請求項８】
前記読取部は、
第一時刻と、前記第一時刻より後の第二時刻とのそれぞれに光を受光し、 
前記検出部は、
前記第一時刻に前記読取部が受光した光の強度が閾値より高く、かつ、前記第二時刻に受光した光の強度が前記閾値以下である場合、前記第一時刻と前記第二時刻との間の時刻に前記端部が通過したことを検出する 
請求項７に記載の画像読取装置。
【請求項９】
前記画像読取装置は、さらに、 
前記搬送経路に対して前記読取部と反対側に設けられ、前記第三照射部に対向する面が白面である白面部を備え、 
前記第三照射部は、前記検出部が前記端部を検出した場合に、前記白面部に向けて前記第三照射光を照射し、 
前記読取部は、前記媒体の読取面と反対側の面が前記白面部に対向している状態において、前記媒体による前記第三照射光の拡散反射光を受光することで、前記媒体の読み取りを行う 
請求項８に記載の画像読取装置。
【請求項１０】
前記反射部と前記白面部とは、前記搬送経路に沿って並んで配置されており、 
前記読取部は、さらに、前記搬送経路に沿って移動可能であり、 
前記読取部は、（ｉ）前記反射部に対向する位置において前記反射部からの反射光を受光し、（ｉｉ）前記検出部が前記端部を検出した場合に前記白面部に対向する位置に移動し、（ｉｉｉ）前記白面部に対向する位置において前記媒体の読み取りを行う 
請求項９に記載の画像読取装置。
【請求項１１】
前記閾値は、前記第三照射光の前記白面部による反射光を前記読取部が受光する場合の強度より大きく、かつ、前記第三照射光の前記反射部による反射光を前記読取部が受光する場合の強度より小さい 
請求項９又は１０に記載の画像読取装置。
【発明の詳細な説明】
【技術分野】
【０００１】
本発明は、画像読取装置に関する。
【背景技術】
【０００２】
原稿からの画像の読み取りを行う画像読取装置（以降、スキャナともいう）が知られている。また、読み取り対象の複数の原稿を順次搬送しながら画像の読み取りを行う、ＡＤＦ（Ａｕｔｏ  Ｄｏｃｕｍｅｎｔ  Ｆｅｅｄｅｒ）を搭載したスキャナ（以降、「ＡＤＦスキャナ」ともいう）が知られている。
【０００３】
ＡＤＦスキャナが原稿を搬送しながら当該原稿を読み取る場合、事前に原稿のサイズを検出することが行われる。その目的の１つは、原稿詰まりを検出することである。原稿詰まりとは、搬送経路の途上で搬送機構による原稿の搬送が失敗することであり、ドキュメントジャム、又は、ペーパジャムともいう。原稿詰まりが生ずると、原稿の折れ曲がり又は破断を生じることもある。スキャナは、搬送される原稿のサイズと、原稿の搬送距離とに基づいて原稿詰まりを検出することができる。
【０００４】
特許文献１は、搬送する原稿の端部からの反射光を受光することで、原稿読み取りセンサを用いて原稿の端部を検出する技術を開示する。
【先行技術文献】
【特許文献】
【０００５】
【特許文献１】特許第５２１１９６０号公報
【発明の概要】
【発明が解決しようとする課題】
【０００６】
従来、原稿のサイズを検出するためのセンサと、原稿読み取りのためのセンサとは個別に設けられているので、製造コストが増大するという問題がある。
【０００７】
そこで、本発明は、原稿読取センサを用いて適切に原稿サイズを検出する画像読取装置を提供することを目的とする。
【課題を解決するための手段】
【０００８】
上記目的を達成するために、本発明の一態様に係る画像読取装置は、搬送経路に沿って第一方向に搬送される媒体と、前記第一方向に直交する第二方向に延設される読取部と、前記搬送経路を介して、前記読取部に第一照射光を照射する第一照射部と、前記第二方向において検出される前記第一照射光の強度情報に基づいて、前記媒体の前記第二方向の長さを検出する検出部とを備える。
【０００９】
これによれば、画像読取装置は、照射光が媒体により遮られたことで、読取部のうちの一部に照射光が届かなかった場合に、当該一部の位置に基づいて媒体の幅を検出することができる。読取部は、媒体を読み取るために媒体の搬送方向に直交するに延設されている。この読取部のうち照射光を受光しなかった部分の位置は、搬送される媒体の幅に対応している。よって、照射光を受光しなかった部分の位置に基づいて媒体の幅を検出することができ、予め定められた関係を用いて媒体の幅から媒体のサイズを知ることができる。よって、画像読取装置は、適切に媒体のサイズを検出することができる。
【００１０】
例えば、前記第一照射部は、前記第一照射光の進行方向と、前記媒体の搬送方向とが鋭角を成すように、前記第一照射光を照射する。
【００１１】
これによれば、画像読取装置は、読取部による媒体の読み取りに与える影響を抑えながら媒体の幅を検出する。照射光の進行方向と搬送方向とが鋭角を成すように照射部を配置することで、媒体の幅の検出のあとに、従来と同じように媒体を読み取ることができる。よって、画像読取装置は、読取部を用いて適切に媒体のサイズを検出することができる。
【００１２】
例えば、前記画像読取装置は、さらに、前記搬送経路に対して前記読取部と同じ側に設けられる第二照射部を備え、前記第一照射部は、前記検出部が前記長さを検出した後に前記第一照射光の照射を中止し、前記第二照射部は、前記検出部が前記長さを検出した後に、前記媒体への第二照射光の照射を開始し、前記読取部は、前記第二照射部により照射され前記媒体により反射された光を受光することで、前記媒体を読み取る。
【００１３】
これによれば、画像読取装置は、媒体の読み取りを行う前に読み取り対象の媒体の幅を検出し、媒体の幅を検出した後に従来と同じように媒体を読み取ることができる。読取部による媒体の読み取りを行う場合には、媒体の色をより適切に読み取るために、搬送経路に対して読取部と同じ側にある第二照射部の光だけを用いて読取を行うことが望ましい。そこで、画像読取装置は、読取部による媒体の読み取りを行う時に第一照射部による光の照射を止めておくことで、媒体から画像をより適切に読み取ることができる。
【００１４】
例えば、前記検出部は、ラインセンサを含み、前記ラインセンサが受光した前記第一照射光の強度情報に基づいて、前記媒体の前記第二方向の長さを検出する。
【００１５】
これによれば、画像読取装置は、照射光が媒体により遮られたことで、読取部が有するラインセンサうちの一部に照射光が届かなかった場合に、照射光を受光した部分、又は、受光しなかった部分の位置に基づいて媒体の幅を検出することができる。
【００１６】
例えば、前記検出部は、前記ラインセンサが受光した前記第一照射光の強度が閾値より高いか否かに基づいて前記媒体の前記第二方向の長さを検出し、前記閾値は、前記第一照射部により照射され前記媒体を透過した透過光を前記ラインセンサが受光する場合の強度より高く、かつ、前記第一照射光を前記ラインセンサが受光する場合の強度より低い。
【００１７】
これによれば、検出部は、受光部が受光する光の強度についての閾値との大小判定により、より適切に媒体の幅を検出することができる。
【００１８】
例えば、前記画像読取装置は、さらに、前記搬送経路に対して前記読取部と同じ側に設けられる第三照射部を備え、前記第一照射部は、前記第三照射部から照射される第三照射光を前記検出部に向けて反射させることで、第四照射光を照射する反射部を含み、前記検出部は、前記第四照射光の強度情報に基づいて、前記媒体の端部を検出する。
【００１９】
これによれば、画像読取装置は、媒体を読み取るために搭載されている読取部を用いて適切に媒体の前端を検知することができる。読取部は、反射部からの反射光を受光するか否かに基づいて媒体の前端を検知する。読取センサにより媒体の前端を検出することができるので、画像読取装置は、媒体検出センサを別途搭載する必要がない。よって、媒体検出センサと読取センサとを共用するとともに媒体の前端の誤検出を抑制することができる。
【００２０】
例えば、前記検出部は、前記媒体による前記第三照射光の拡散反射光の強度情報に基づいて、前記媒体の端部を検知する。
【００２１】
これによれば、画像読取装置は、媒体を読み取るために搭載されている読取部を用いて適切に媒体の前端を検知することができる。読取部は、媒体を読み取るときには媒体の拡散反射による反射光を受光する一方、読取対象の位置に媒体がないときは反射部の鏡面反射による反射光を受光する。この特徴を利用し、検出部は、これらの反射光を区別し、鏡面反射による反射光を受光する状態から拡散反射による反射光を受光する状態に変化したときに媒体の前端を検知する。このように読取センサにより媒体の前端を検出することができるので、媒体検出センサを別途搭載する必要がない。よって、媒体検出センサと読取センサとを共用するとともに媒体の前端の誤検出を抑制することができる。
【００２２】
例えば、前記読取部は、第一時刻と、前記第一時刻より後の第二時刻とのそれぞれに光を受光し、前記検出部は、前記第一時刻に前記読取部が受光した光の強度が閾値より高く、かつ、前記第二時刻に受光した光の強度が前記閾値以下である場合、前記第一時刻と前記第二時刻との間の時刻に前記端部が通過したことを検出する。
【００２３】
これによれば、画像読取装置は、受光部による２回の受光により得た光の強度に基づいて、媒体の前端を検知する。具体的には、２回のうちの１回目に反射部の鏡面反射による反射光を受光部が受光し、２回のうちの２回目に媒体の拡散反射による反射光を受光部が受光した場合に、この２回の受光の間の時刻に媒体の前端が通過したことを検知する。これにより、より具体的に媒体の前端の誤検出を抑制することができる。
【００２４】
例えば、前記画像読取装置は、さらに、前記搬送経路に対して前記読取部と反対側に設けられ、前記第三照射部に対向する面が白面である白面部を備え、前記第三照射部は、前記検出部が前記端部を検出した場合に、前記白面部に向けて前記第三照射光を照射し、前記読取部は、前記媒体の読取面と反対側の面が前記白面部に対向している状態において、前記媒体による前記第三照射光の拡散反射光を受光することで、前記媒体の読み取りを行う。
【００２５】
これによれば、画像読取装置は、白い面を背景として媒体の読み取りを行う。これにより、媒体上の色をより正しく読み取ることができる。
【００２６】
例えば、前記反射部と前記白面部とは、前記搬送経路に沿って並んで配置されており、前記読取部は、さらに、前記搬送経路に沿って移動可能であり、前記読取部は、（ｉ）前記反射部に対向する位置において前記反射部からの反射光を受光し、（ｉｉ）前記検出部が前記端部を検出した場合に前記白面部に対向する位置に移動し、（ｉｉｉ）前記白面部に対向する位置において前記媒体の読み取りを行う。
【００２７】
これによれば、読取部を移動させることで、反射部への光の照射と、白面部への光の照射とのそれぞれを適切に行うことができる。
【００２８】
例えば、前記閾値は、前記第三照射光の前記白面部による反射光を前記読取部が受光する場合の強度より大きく、かつ、前記第三照射光の前記反射部による反射光を前記読取部が受光する場合の強度より小さい。
【００２９】
これによれば、検出部は、受光部が受光する光の強度についての閾値との大小判定により、より適切に媒体の端部を検出することができる。よって、画像読取装置は媒体の前端の誤検出を抑制することができる。
【発明の効果】
【００３０】
本発明によると、原稿読取センサを用いて適切に原稿サイズを検出する画像読取装置を実現することができる。
【図面の簡単な説明】
【００３１】
【図１】実施の形態１に係るスキャナの外観図
【図２】実施の形態１に係るスキャナのカバー部を開けた状態を示す外観図
【図３】実施の形態１に係るスキャナのカバー部の下面図
【図４】実施の形態１に係るスキャナの本体部の上面図
【図５】実施の形態１に係るスキャナの、図１におけるＶ−Ｖ断面の断面図
【図６】実施の形態１に係るスキャナの原稿サイズ検出処理を示すフローチャート
【図７】実施の形態１に係る原稿サイズ検出方法を示す第一の模式図
【図８】実施の形態１に係る原稿サイズ検出方法を示す第二の模式図
【図９】実施の形態１に係る受光部が受光した光の強度から原稿幅を検出する処理の説明図
【図１０】実施の形態１に係る原稿幅と原稿サイズとの対応関係の説明図
【図１１】実施の形態１に係る原稿サイズ検出方法を示す第三の模式図
【図１２】実施の形態２に係るスキャナの外観図
【図１３】実施の形態２に係るスキャナの、図１２におけるＸＩＩＩ−ＸＩＩＩ断面の断面図
【図１４】実施の形態３に係るスキャナの外観図
【図１５】実施の形態３に係るスキャナのカバー部を開けた状態を示す外観図
【図１６】実施の形態３に係るスキャナのカバー部の下面図
【図１７】実施の形態３に係るスキャナの本体部の上面図
【図１８】実施の形態３に係るスキャナの、図１４におけるＸＶＩＩＩ−ＸＶＩＩＩ断面の断面図
【図１９】実施の形態３に係るスキャナの機能ブロック図
【図２０】実施の形態３に係るスキャナの原稿端検出処理を示すフローチャート
【図２１Ａ】実施の形態３に係る読取部による原稿の前端の検出方法を示す第一の模式図
【図２１Ｂ】実施の形態３に係る読取部による原稿の前端の検出方法を示す第二の模式図
【図２２】実施の形態３に係る読取部による原稿の読み取り方法を示す模式図
【図２３】実施の形態４に係るスキャナの外観図
【図２４】実施の形態４に係るスキャナの、図２３におけるＸＸＩＶ−ＸＸＩＶ断面の断面図
【発明を実施するための形態】
【００３２】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３３】
（実施の形態１）
本実施の形態において、原稿読取センサを用いて適切に原稿サイズを検出するスキャナについて説明する。このスキャナは、ＡＤＦにより原稿を順次搬送しながら読み取りを行うＡＤＦスキャナである。なお、スキャナは、画像読取装置に相当する。なお、原稿のことを媒体ともいう。
【００３４】
図１は、本実施の形態に係るスキャナの外観図である。図２は、本実施の形態に係るスキャナのカバー部を開けた状態を示す外観図である。図３は、本実施の形態に係るスキャナのカバー部の下面図である。図４は、本実施の形態に係るスキャナの本体部の上面図である。
【００３５】
図１及び図２に示されるようにスキャナ１は、カバー部１１と、本体部１５とを備える。
【００３６】
本体部１５は、プラテンガラス２４及び２７と、読取部３２とを有する。本体部１５の上面をＺ軸プラス方向から見た場合の上面図が図３である。なお、Ｚ軸プラス方向のことを上方向と、Ｚ軸マイナス方向のことを下方向と、それぞれよぶことがある。
【００３７】
読取部３２は、読み取り対象の原稿から画像を読み取るためのセンサである。読取部３２は、具体的には、原稿の読み取りのための光を照射する照射部（不図示、後述の照射部６２に相当する）と、光を受光する受光部（不図示、後述の受光部６４に相当する）とを有する。照射部が照射した光は、読み取り対象の原稿、又は、ローラ３６に反射されて、受光部に受光される。受光部は、光を受光すると、受光した光の強度に応じて電圧を出力する。なお、上記照射部のことを光源Ｂ又は第二照射部とよぶこともある。上記照射部が照射する光のことを第二照射光ともいう。
【００３８】
なお、照射部は、例えばＬＥＤ（Ｌｉｇｈｔ  Ｅｍｉｔｔｉｎｇ  Ｄｉｏｄｅ）のような光源で実現される。また、照射部は、光源からの光を入射される導光体、又は、光源からの光を集光又は拡散させる光学系を含んでもよい。また、照射部が照射する光の色（波長）はどんなものでもよく、例えば白色でよい。
【００３９】
なお、受光部は、主走査方向（Ｙ方向）に延びて配置されるイメージセンサであるラインイメージセンサ（単に、ラインセンサともいう）により実現される。ラインセンサは、例えば、複数の光センサを並べて構成される。読取部３２は、例えばＣＩＳ（Ｃｏｎｔａｃｔ  Ｉｍａｇｅ  Ｓｅｎｓｏｒ）、又は、ＣＣＤ（Ｃｈａｒｇｅ  Ｃｏｕｐｌｅｄ  Ｄｅｖｉｃｅ）イメージセンサにより実現される。
【００４０】
以降、ラインセンサが複数の光センサを並べて構成される場合を想定して説明するが、本発明はこの構成に限定されない。また、受光部の長尺方向が原稿の搬送方向に直交する場合を想定して説明するが、本発明は、これらの方向が厳密に直交する場合だけに限定されず、略直交する場合も含む。
【００４１】
また、読取部３２は、副走査方向（Ｘ方向）に移動可能である。ＡＤＦにより搬送される原稿を読取部３２が読み取る際には、読取部３２は、プラテンガラス２４の下部に移動する。また、プラテンガラス２７上に載置される原稿を読取部３２が読み取る際には、読取部３２は、プラテンガラス２７の下部の領域内を移動する。
【００４２】
プラテンガラス２４は、ＡＤＦにより搬送される原稿を読取部３２が読み取る際に、読取部３２による照射光、及び、その反射光が透過する透光部材である。
【００４３】
プラテンガラス２７は、当該プラテンガラス２７上に載置される原稿を読取部３２が読み取る際に読取部３２による照射光、及び、その反射光が透過する透光部材である。なお、プラテンガラス２４及びプラテンガラス２７は、透明なガラス板で実現される。
【００４４】
カバー部１１は、給紙台１２と、排紙台１４と、給紙スリット２３と、照射部３４と、ローラ３６と、排紙スリット２５と、白面部２８とを有する。カバー部１１の下面をＺ軸マイナス方向から見た場合の下面図が図４である。
【００４５】
給紙台１２は、読み取り対象の原稿が載置されるための台である。給紙台１２には、複数の原稿が載置されることもある。給紙台１２に載置された原稿は、一枚ずつ、搬送部（不図示）により、給紙スリット２３及び排紙スリット２５を経由して排紙台１４に搬送される。原稿は、給紙スリット２３と排紙スリット２５との間の区間で読取部３２等により読み取られる。搬送部は、例えば、ローラである。
【００４６】
照射部３４は、読取部３２に向けて光を照射する光源である。照射部３４は、読み取り対象の原稿の搬送方向（Ｘ方向）に直交する幅方向（Ｙ方向）の長さ（以降、原稿幅ともいう）を検出するために用いられる。照射部３４は、読取部３２の照射部と同様、ＬＥＤ、導光体、及び、光学系などにより構成される。照射部３４のことを光源Ａ又は第一照射部とよぶこともある。照射部３４が照射する光のことを第一照射光ともいう。照射部３４の動作については、後で詳しく説明する。
【００４７】
ローラ３６は、ＡＤＦにより搬送される原稿を読み取る際に、原稿がプラテンガラス２４から浮かび上がらないようにプラテンガラス２４に原稿を押さえつけるためのローラである。ローラ３６の表面は白色になっている。これにより、読取部３２は、白色の面を背景として読み取り対象の原稿を読み取ることができるので、原稿の色を適切に読み取ることができる。
【００４８】
白面部２８は、プラテンガラス２７上に載置される原稿を読取部３２が読み取る際に、原稿の背景となる面である。白面部２８の読取部３２に対向する面は、ローラ３６と同様の理由により白色になっている。
【００４９】
排紙台１４は、読み取りが終わった原稿が載置されるための台である。
【００５０】
また、スキャナ１は、検出部（不図示）を備える。検出部は、受光部のうち幅方向におけるどの位置において原稿により照射光が遮られたかに基づいて、原稿の原稿幅を検出する。
【００５１】
図５は、本実施の形態に係るスキャナの、図１におけるＶ−Ｖ断面の断面図である。
【００５２】
図５に示される搬送経路２１は、給紙台１２から排紙台１４に至る、読み取り対象の原稿が搬送部２２により搬送される搬送経路である。原稿は、搬送経路２１に沿って搬送され読取部３２及び照射部３４等の近傍を通過する。
【００５３】
給紙台１２には、複数の原稿５２が、スキャナ１により読み取られる面を上にして載置されている。
【００５４】
搬送部２２は、給紙台１２に載置されている複数の原稿５２のうちの一枚の原稿を給紙し、その原稿を搬送経路２１に沿って搬送する。搬送部２２は、原稿を搬送経路２１に沿って搬送するために１以上の箇所に設置されている。
【００５５】
給紙スリット２３は、原稿が給紙台１２から搬出されるための開口部である。給紙スリット２３を通過した原稿は、読取部３２、照射部３４、及び、ローラ３６の近傍を搬送されながら読み取られる。
【００５６】
読取部３２は、搬送経路２１に対して一方の側に設けられている。また、搬送経路２１に対して読取部３２と反対側に照射部３４及びローラ３６が設けられている。
【００５７】
排紙スリット２５は、読取が終わった原稿を排紙台１４へ搬出するための開口部である。排紙スリット２５を通過した原稿は、排紙台１４の原稿５４の上に載置される。
【００５８】
図６は、本実施の形態に係るスキャナの原稿サイズ検出処理を示すフローチャートである。
【００５９】
ステップＳ１０１において、光源Ａ（照射部３４）が照射光の照射を開始する。この時点では、読み取り対象の原稿は読取部３２の近傍まで到達していない状況である。搬送部２２は、搬送経路上に読み取り対象の原稿を進行させる。
【００６０】
ステップＳ１０２において、読み取り対象の原稿の原稿幅が検出される。この時点では、読み取り対象の原稿は読取部３２の近傍まで到達しており、照射部３４が照射する照射光のうちの一部が受光部に到達し、残部が原稿により遮られ又は透過され、透過光が受光部に到達する状況である。ここで、搬送部２２は、原稿の搬送を一旦停止してもよい。読み取り対象の原稿の原稿幅をより正確に検出するためである。
【００６１】
ステップＳ１０３において、光源Ａが照射光の照射を停止する。この処理は、ステップＳ１０２において原稿の原稿幅が検出された場合に行われる。
【００６２】
ステップＳ１０４において、光源Ｂ（照射部６２）が照射光の照射を開始する。なお、ステップＳ１０３とステップＳ１０４とは同時に行われてもよいし、ステップＳ１０４の後にステップＳ１０３が行われてもよい。
【００６３】
ステップＳ１０５において、光源Ｂによる照射光を利用して読取部３２等により、原稿の読み取りが行われる。搬送部２２は、搬送経路上に原稿を進行させる。
【００６４】
ステップＳ１０６において、スキャナ１は、光源Ｂによる照射光の照射を停止する。この処理は、原稿の読み取りが完了した後に行われる。
【００６５】
図７は、本実施の形態に係る原稿サイズ検出方法を示す第一の模式図である。図７は、図６のステップＳ１０１における読取部３２等と原稿との位置関係及び動作状態を示している。
【００６６】
図７に示されるように、読取部３２は、照射部６２と、受光部６４とを備える。
【００６７】
照射部６２は、搬送経路上の所定位置に光を照射するのに適切な位置に、適切な角度で配置されている。
【００６８】
受光部６４は、光を受光し、受光した光の強度に応じて電圧を出力する。具体的には、受光部６４は、より強い強度の光を受光すると、より大きな電圧を出力する。また、受光部６４は、照射部６２が照射した光が原稿により反射（拡散反射）された場合に、その反射光を受光するのに適切な位置に、かつ、適切な角度で配置されている。具体的には、受光部６４は、搬送経路上の所定の読取位置６８に原稿が位置しているときに、読取位置６８にある部分の色を読み取ることで原稿６１を読み取る。
【００６９】
検出部６６は、受光部６４のうち幅方向におけるどの位置において原稿により照射光が遮られたかに基づいて、原稿の原稿幅を検出する。具体的には、検出部６６は、受光部６４のうち照射光を受光した部分、又は、照射光が原稿６１により透過された透過光を受光した部分の位置に基づいて、原稿の搬送方向（Ｘ方向）に直交する方向（Ｙ方向）の長さを、原稿６１の原稿幅として検出する。なお、原稿の搬送方向を第一方向ともいい、原稿面に平行な面内で第一方向に直交する方向を第二方向ともいう。
【００７０】
具体的には、検出部６６は、受光部６４が光を受光したときに出力する電圧を取得する。そして、取得した電圧が予め定められた閾値より高い場合に照射光を受光したと判定し、取得した電圧が閾値以下である場合に、照射光を受光しないと判定する。ここで、照射光を受光しないというのは、照射光が原稿６１により遮られることで、光を全く受光しない場合もあるし、照射光が原稿６１により透過されることで、照射光より強度が低い透過光が受光された場合もある。
【００７１】
閾値は、受光部６４が照射光を受光する場合の強度より低く、かつ、受光部６４が透過光を受光する場合の強度より高い値に適切に設定される。
【００７２】
検出部６６は、原稿６１により照射光のうちの一部が遮られることで、受光部６４が有する複数の光センサのうちの一部の光センサのみが照射光を受光した場合に、当該一部の光センサの数に基づいて、原稿６１の原稿幅を検出する。なお、このとき、複数の光センサのうち当該一部の光センサを除く光センサの数に基づいて、原稿６１の原稿幅を検出することも可能である。
【００７３】
また、照射部３４は、受光部６４に向けて光を照射するのに適切な位置に、かつ、適切な角度で配置されている。具体的には、照射部３４は、照射部３４による照射光の進行方向と、原稿６１の搬送方向とが鋭角を成すように配置されている。このようにすれば、読取部３２が移動することなく、検出部６６により原稿６１の原稿幅の検出と、その後の原稿６１からの画像の読み取りを行うことができる。
【００７４】
また、照射部３４は、受光部６４に向けて光を照射している。原稿６１は、読取部３２の上部まで到達しておらず、照射部３４が照射した光を遮ることはない。また、受光部６４は、照射部３４が照射した光を受光している。ここで、受光部６４が有する光センサは、原稿６１に遮られることなく、照射部３４が照射する照射光を受光する。よって、光センサのそれぞれは、閾値を超える電圧を出力する。
【００７５】
検出部６６は、受光部６４が有する光センサのそれぞれが出力する電圧を取得し、取得した電圧のそれぞれが閾値を超えていることから、原稿６１がまだ読取部３２の上部に到達していないことを認識する。よって、この時点では、原稿６１の原稿幅を検出することはない。
【００７６】
図８は、本実施の形態に係る原稿サイズ検出方法を示す第二の模式図である。図８は、図６のステップＳ１０２における読取部３２等と原稿との位置関係及び動作状態を示している。
【００７７】
図８に示されるように、照射部３４は、図７と同じように受光部６４に向けて光を照射している。原稿６１は、搬送部２２により搬送され、照射光の一部を遮る位置に至っている。ただし、原稿６１は、未だ、読取位置６８には到達していない。検出部６６は、このように原稿６１の搬送方向前方側の端部が読取位置６８より搬送方向後方にある状態で、検出部６６は以下のように原稿６１の原稿幅を検出する。
【００７８】
受光部６４が有する光センサのうちの一部は照射光を受光することができるが、原稿６１により照射光が遮られたことで、光センサのうちの残部は、照射光を受光することができない。なお、上記残部は、原稿６１が光を透過させないものである場合には全く光を受光しない。一方、原稿６１が光を一部透過させるものである場合には、照射光より低い強度の透過光を受光する。よって、上記一部の光センサは、閾値より大きい電圧を出力する一方、残部の光センサは閾値より低い電圧を出力する。
【００７９】
検出部６６は、受光部６４が有する複数の光センサが出力する電圧を取得する。そして、取得した複数の電圧のうちの一部が閾値より大きく、残部が閾値より小さいことから、読取部３２の上部に原稿が存在していることを認識する。
【００８０】
この場合、検出部６６は、閾値より大きい電圧を出力した光センサの数、又は、閾値以下の電圧を出力した光センサの数に基づいて、原稿６１の原稿幅を検出する。
【００８１】
図９は、本実施の形態に係る受光部が受光した光の強度から原稿幅を検出する処理の説明図である。図９の（ａ）は、本体部１５のうちプラテンガラス２４を含む部分の、図６のステップＳ１０２における位置関係を示した上面図である。
【００８２】
図９の（ａ）に示されるように、原稿６１は、照射部３４の下部を過ぎ、読取部３２の上部に差し掛かった位置まで搬送されている。
【００８３】
図９の（ｂ）は、図９の（ａ）に示される位置関係において、受光部６４が有する複数の光センサが出力する電圧を示している。横軸が光センサの並び方向（Ｙ方向）を示しており、縦軸が電圧を示している。
【００８４】
図９の（ｂ）に示されるように、原稿６１が照射光を遮った部分の光センサは閾値Ｔより低い電圧を出力し、それ以外の部分の光センサは閾値Ｔより高い電圧を出力する。検出部６６は、閾値より低い電圧を出力した光センサの数に基づいて、原稿の原稿幅（Ｙ方向の幅）Ｗを検出する。なお、検出部６６は、閾値より高い電圧を出力した光センサの数に基づいて、原稿幅Ｗを検出することができることも図９の（ｂ）より明らかである。
【００８５】
図１０は、本実施の形態に係る原稿幅と原稿サイズとの対応表の説明図である。対応表Ｔ１０は、予め定められた複数の種別の用紙について、その用紙の辺の長さ（縦方向の長さ及び、横方向の長さ）が対応付けられている。
【００８６】
検出部６６は、ステップＳ１０２において原稿幅を検出したら、その原稿幅が、対応表Ｔ１０に示される辺の長さのいずれかに一致するか否かを判定する。そして、いずれかに一致した場合には、原稿６１がその用紙種別であると決定することができる。
【００８７】
例えば、検出部６６が、ステップＳ１０２において、２１０ｍｍの原稿幅を検出した場合、原稿６１の用紙種別は「Ａ４」であると決定することができる。さらに、検出部６６は、他方の辺の長さ（原稿の搬送方向の長さ）が２９７ｍｍであることが分かる。
【００８８】
なお、読取誤差を考慮して、対応表Ｔ１０における辺の長さと原稿幅Ｗとが一致するか否かの判定に数％程度の幅をもたせてもよい。また、どれにも一致しないであっても、その差が最も小さいもの、又は、その差が所定の許容範囲以内であるものを原稿サイズとして決定するようにしてもよい。
【００８９】
図１１は、本実施の形態に係る原稿サイズ検出方法を示す第三の模式図である。図１１は、図６のステップＳ１０５における読取部３２等と原稿との位置関係及び動作状態を示している。
【００９０】
照射部６２は、原稿読み取りのための光を照射している。原稿６１は搬送部２２により搬送され、その一部が読取位置６８上に存在している。つまり、原稿６１の搬送方向前方側の端部が、既に読取位置６８を通過した後の状態が示されている。原稿６１は、照射部６２が照射した光を反射（拡散反射）している。受光部６４は、照射部６２により照射され原稿６１により反射された光を受光している。
【００９１】
原稿６１が反射した光には、原稿６１の読取面の色が反映されている。受光部６４は、搬送される原稿をライン状に読み取ることで、原稿６１の読み取り面を読み取ることができる。
【００９２】
なお、スキャナ１は、検出部６６が検出した原稿の搬送方向の長さを考慮して、原稿詰まりを検出することができる。具体的には、読取部３２の上部を原稿の搬送方向前方側の端部が通過してから、原稿の搬送方向の長さの分だけ原稿が搬送されてもなお原稿が読取部３２の上部にあれば、スキャナ１は、搬送経路上で原稿詰まりが発生していると判定することができる。
【００９３】
以上のように、本実施の形態にかかるスキャナは、照射光が原稿により遮られたことで、原稿読取センサが有するラインセンサのうちの一部に照射光が届かなかった場合に、当該一部の位置に基づいて原稿の原稿幅を検出することができる。原稿読取センサは、原稿を読み取るために原稿の搬送方向に直交する幅方向に延びて配置されている。このラインセンサのうち照射光を受光しなかった光センサの位置は、搬送される原稿の原稿幅に対応している。よって、照射光を受光しなかった光センサの位置に基づいて原稿幅を検出することができ、予め定められた関係を用いて原稿幅から原稿サイズを知ることができる。よって、スキャナは、原稿読取センサを用いて適切に原稿サイズを検出することができる。
【００９４】
また、画像読取装置は、読取部による原稿の読み取りに与える影響を抑えながら原稿幅を検出する。読取部が原稿を読み取る際には、読み取りのために用いる光のみがラインセンサに受光されることが望ましい。原稿の前端が読取位置より後方にある状態で原稿幅が検出されれば、その後に従来と同じように原稿を読み取ることができる。よって、画像読取装置は、原稿読取センサを用いて適切に原稿サイズを検出することができる。
【００９５】
また、画像読取装置は、読取部による原稿の読み取りに与える影響を抑えながら原稿幅を検出する。読取部が搬送部に対して固定されているであっても、照射光の進行方向と搬送方向とが鋭角を成すように照射部を配置することで、上記同様に原稿幅の検出のあとに従来と同じように原稿を読み取ることができる。よって、画像読取装置は、原稿読取センサを用いて適切に原稿サイズを検出することができる。
【００９６】
また、画像読取装置は、原稿の読み取りを行う前に読み取り対象の原稿の原稿幅を検出し、原稿幅を検出した後に従来と同じように原稿を読み取ることができる。読取部による原稿の読み取りを行う場合には、原稿の色をより適切に読み取るため、搬送経路に対して読取部と同じ側にある第二照射部の光だけを用いて読取を行うことが望ましい。そこで、画像読取装置は、読取部による原稿の読み取りを行う時に第一照射部による光の照射を止めておくことで、原稿から画像をより適切に読み取ることができる。
【００９７】
また、画像読取装置は、照射光が原稿により遮られたことで、原稿読取センサが有するラインセンサうちの一部に照射光が届かなかった場合に、照射光を受光した部分、又は、受光しなかった部分の位置に基づいて原稿の原稿幅を検出することができる。
【００９８】
また、検出部は、受光部が受光する光の強度についての閾値との大小判定により、より適切に原稿の原稿幅を検出することができる。
【００９９】
（実施の形態２）
本実施の形態において、原稿読取センサを用いて適切に原稿サイズを検出するスキャナについて説明する。このスキャナは、ＡＤＦにより原稿を順次搬送しながら読み取りを行うＡＤＦスキャナであり、背面側から前面側に原稿を搬送しながら読み取りを行うＡＤＦスキャナである。
【０１００】
図１２は、本実施の形態に係るスキャナの外観図である。図１３は、本実施の形態に係るスキャナの、図１２におけるＸＩＩＩ−ＸＩＩＩ断面の断面図である。
【０１０１】
図１２及び図１３に示されるように、スキャナ２は、給紙台１２Ａと、排紙台１４Ａと、搬送部２２Ａと、読取部３２Ａと、照射部３４Ａと、ローラ３６Ａとを備える。各構成要素の機能について、実施の形態１における同名の構成要素と異なる点について説明する。実施の形態１と同じ点については説明を省略する。
【０１０２】
給紙台１２Ａは、読み取り対象の原稿が載置されるための台であり、スキャナ２の背面に設けられている。給紙台１２Ａには、複数の原稿が載置されることもある。
【０１０３】
排紙台１４Ａは、読み取りが終わった原稿が載置されるための台であり、スキャナ２の前面に設けられている。
【０１０４】
搬送部２２Ａは、給紙台１２に載置されている原稿のうちの一枚の原稿を給紙し、搬送経路２１Ａに沿って搬送する。搬送経路２１Ａは、背面に設けられた給紙台１２Ａから、前面に設けられた排紙台１４Ａに向かって、ほぼ直線的に構成されている。
【０１０５】
読取部３２Ａは、搬送経路２１Ａに対して一方の側に設けられている。また、搬送経路２１Ａに対して読取部３２Ａと反対側に照射部３４Ａ及びローラ３６Ａが設けられている。
【０１０６】
以上のように、本発明によれば、搬送経路が直線的であるＡＤＦスキャナにおいても、原稿読取センサを用いて適切に原稿サイズを検出することができる。
【０１０７】
以上、本発明の実施の形態に係るスキャナについて説明したが、本発明は、この実施の形態に限定されるものではない。
【０１０８】
なお、上記の実施の形態の一部又は全部は、以下のようにも記載され得るが、以下の記載に限定されない。
【０１０９】
（１）読み取り対象の原稿を搬送経路に沿って搬送する搬送部と、前記原稿から画像を読み取るための読取部であって、前記原稿の原稿面に平行な面内で前記原稿の搬送方向に直交する幅方向に延びるラインセンサを有する読取部と、前記搬送経路に対して前記読取部とは反対側に、前記幅方向に延びて設けられ、前記読取部に向けて照射光を照射する第一照射部と、前記ラインセンサのうち前記幅方向におけるどの位置において前記原稿により前記照射光が遮られたかに基づいて、前記原稿の前記幅方向の長さを検出する検出部とを備える画像読取装置。
【０１１０】
（２）前記読取部は、搬送される前記原稿のうち前記搬送経路上の所定の読取位置に位置する部分からの反射光を順次読み取ることで、前記画像を読み取り、前記検出部は、前記原稿の前記搬送方向前方側の端部が前記読取位置より前記搬送方向後方にある状態において、前記原稿の前記幅方向の長さを検出する（１）に記載の画像読取装置。
【０１１１】
（３）前記第一照射部は、前記照射光の進行方向と、前記原稿の搬送方向とが鋭角を成すように、前記照射光を照射する（２）に記載の画像読取装置。
【０１１２】
（４）前記画像読取装置は、さらに、前記搬送経路に対して前記読取部と同じ側に設けられ、搬送される前記原稿に光を照射する第二照射部であって、前記検出部が前記長さを検出した後に光を照射することを開始する第二照射部を備え、前記第一照射部は、前記検出部が前記長さを検出した後に照射光を照射することを中止し、前記読取部は、前記第二照射部により照射され前記原稿により反射された反射光を前記ラインセンサにより受光することで、前記原稿を読み取る（２）又は（３）に記載の画像読取装置。
【０１１３】
（５）前記検出部は、前記ラインセンサのうちの一部のみが前記照射光を受光した場合に、当該一部の位置、又は、前記ラインセンサのうち当該一部を除く部分の位置に基づいて、前記原稿の前記幅方向の長さを検出する（１）〜（４）のいずれかに記載の画像読取装置。
【０１１４】
（６）前記検出部は、前記ラインセンサが受光した光の強度が閾値より高いか否かに基づいて前記原稿の前記幅方向の長さを検出し、前記閾値は、前記第一照射部により照射され前記原稿を透過した透過光を前記ラインセンサが受光する場合の強度より高く、かつ、前記照射光を前記ラインセンサが受光する場合の強度より低い（１）〜（５）のいずれかに記載の画像読取装置。
【０１１５】
上記（１）によれば、画像読取装置は、照射光が原稿により遮られたことで、原稿読取センサが有するラインセンサのうちの一部に照射光が届かなかった場合に、当該一部の位置に基づいて原稿の原稿幅を検出することができる。原稿読取センサは、原稿を読み取るために原稿の搬送方向に直交する幅方向に延びて配置されている。このラインセンサのうち照射光を受光しなかった光センサの位置は、搬送される原稿の原稿幅に対応している。よって、照射光を受光しなかった光センサの位置に基づいて原稿幅を検出することができ、予め定められた関係を用いて原稿幅から原稿サイズを知ることができる。よって、画像読取装置は、原稿読取センサを用いて適切に原稿サイズを検出することができる。
【０１１６】
上記（２）によれば、画像読取装置は、読取部による原稿の読み取りに与える影響を抑えながら原稿幅を検出する。読取部が原稿を読み取る際には、読み取りのために用いる光のみがラインセンサに受光されることが望ましい。原稿の前端が読取位置より後方にある状態で原稿幅が検出されれば、その後に従来と同じように原稿を読み取ることができる。よって、画像読取装置は、原稿読取センサを用いて適切に原稿サイズを検出することができる。
【０１１７】
上記（３）によれば、画像読取装置は、読取部による原稿の読み取りに与える影響を抑えながら原稿幅を検出する。読取部が搬送部に対して固定されているであっても、照射光の進行方向と搬送方向とが鋭角を成すように照射部を配置することで、上記同様に原稿幅の検出のあとに従来と同じように原稿を読み取ることができる。よって、画像読取装置は、原稿読取センサを用いて適切に原稿サイズを検出することができる。
【０１１８】
上記（４）によれば、画像読取装置は、原稿の読み取りを行う前に読み取り対象の原稿の原稿幅を検出し、原稿幅を検出した後に従来と同じように原稿を読み取ることができる。読取部による原稿の読み取りを行う場合には、原稿の色をより適切に読み取るため、搬送経路に対して読取部と同じ側にある第二照射部の光だけを用いて読取を行うことが望ましい。そこで、画像読取装置は、読取部による原稿の読み取りを行う時に第一照射部による光の照射を止めておくことで、原稿から画像をより適切に読み取ることができる。
【０１１９】
上記（５）によれば、画像読取装置は、照射光が原稿により遮られたことで、原稿読取センサが有するラインセンサうちの一部に照射光が届かなかった場合に、照射光を受光した部分、又は、受光しなかった部分の位置に基づいて原稿の原稿幅を検出することができる。
【０１２０】
上記（６）によれば、検出部は、受光部が受光する光の強度についての閾値との大小判定により、より適切に原稿の原稿幅を検出することができる。
【０１２１】
（実施の形態３）
本実施の形態において、原稿読取センサを用いて適切に原稿サイズを検出し、また、原稿検出センサと読取センサとを共用するとともに原稿前端の誤検出を抑制するスキャナについて説明する。なお、このスキャナは、原稿検出センサと読取センサとを共用するとともに原稿前端の誤検出を抑制するスキャナとして独立して実現することも可能である。
【０１２２】
このスキャナは、ＡＤＦにより原稿を順次搬送しながら読み取りを行うＡＤＦスキャナである。
【０１２３】
図１４は、本実施の形態に係るスキャナの外観図である。図１５は、本実施の形態に係るスキャナのカバー部を開けた状態を示す外観図である。図１６は、本実施の形態に係るスキャナのカバー部の下面図である。図１７は、本実施の形態に係るスキャナの本体部の上面図である。
【０１２４】
図１４及び図１５に示されるようにスキャナ１０１は、カバー部１１１と、本体部１１５とを備える。
【０１２５】
本体部１１５は、プラテンガラス１２４及び１２７と、読取部１３２と、移動部１３３とを有する。本体部１１５の上面をＺ軸プラス方向から見た場合の上面図が図１６である。なお、Ｚ軸プラス方向のことを上方向と、Ｚ軸マイナス方向のことを下方向と、それぞれよぶことがある。
【０１２６】
読取部１３２は、読取対象の原稿を読み取るためのセンサである。読取部１３２は、具体的には、原稿の読み取りのための光を照射する照射部（不図示、後述の照射部１６２に相当する）と、照射部が照射した光の反射光を受光する受光部（不図示、後述の受光部１６４に相当する）とを有する。照射部が照射した光は、読取対象の原稿、又は、カバー部１１１の反射部１３４若しくは白面部１３６に反射されて、受光部に受光される。受光部は、光を受光すると、受光した光の強度に応じて電圧を出力する。
【０１２７】
なお、照射部は、例えばＬＥＤ（Ｌｉｇｈｔ  Ｅｍｉｔｔｉｎｇ  Ｄｉｏｄｅ）のような光源で実現される。また、照射部は、光源からの光を入射される導光体、又は、光源からの光を集光又は拡散させる光学系を含んでもよい。また、照射部が照射する光の色（波長）はどんなものでもよく、例えば白色でよい。
【０１２８】
なお、受光部は、主走査方向（Ｙ方向）に並ぶイメージセンサであるラインイメージセンサにより実現される。読取部１３２は、例えばＣＩＳ（Ｃｏｎｔａｃｔ  Ｉｍａｇｅ  Ｓｅｎｓｏｒ）ユニットにより実現される。
【０１２９】
また、読取部１３２は、移動部１３３に搭載されており、移動部１３３の移動とともに移動可能である。ＡＤＦにより搬送される原稿を読取部１３２が読み取る際には、読取部１３２は、プラテンガラス１２４の下部に移動する。また、プラテンガラス１２７上に載置される原稿を読取部１３２が読み取る際には、読取部１３２は、プラテンガラス１２７の下部の領域内を移動する。
【０１３０】
移動部１３３は、副走査方向（Ｘ方向）に移動するキャリッジである。移動部１３３には読取部１３２が搭載されており、移動部１３３が移動することにより、読取部１３２が原稿を読み取るための適切な位置に、読取部１３２を移動させる。
【０１３１】
プラテンガラス１２４は、ＡＤＦにより搬送される原稿を読取部１３２が読み取る際に、読取部１３２による照射光、及び、その反射光が透過する透光部材である。
【０１３２】
プラテンガラス１２７は、当該プラテンガラス１２７上に載置される原稿を読取部１３２が読み取る際に読取部１３２による照射光、及び、その反射光が透過する透光部材である。なお、プラテンガラス１２４及びプラテンガラス１２７は、透明なガラス板で実現される。
【０１３３】
カバー部１１１は、給紙台１１２と、排紙台１１４と、給紙スリット１２３と、反射部１３４及び白面部１３６と、排紙スリット１２５と、白面部１２８とを有する。カバー部１１１の下面をＺ軸マイナス方向から見た場合の下面図が図１７である。
【０１３４】
給紙台１１２は、読取対象の原稿が載置されるための台である。給紙台１１２には、複数の原稿が載置されることもある。給紙台１１２に載置された原稿は、一枚ずつ、搬送部（不図示）により、給紙スリット１２３及び排紙スリット１２５を経由して排紙台１１４に搬送される。原稿は、給紙スリット１２３と排紙スリット１２５との間の区間で読取部１３２等により読み取られる。搬送部は、例えば、ローラである。
【０１３５】
反射部１３４は、照射部が照射した光を受光部に向けて反射する反射部材である。反射部１３４は、読取対象の原稿の前端を検出するために用いられる。反射部１３４は、鏡面反射により光を反射するものが望ましいが、必ずしもそれに限られない。反射部１３４は、例えば、鏡、又は、鏡面仕上げ（鏡面加工）された金属若しくは石材などで実現される。反射部１３４の動作については、後で詳しく説明する。なお、反射部１３４は、第一照射部に相当する。
【０１３６】
白面部１３６は、ＡＤＦにより搬送される原稿を読み取る際に、原稿の背景となる面である。白面部１３６の読取部１３２に対向する面は白色になっている。これにより、読取部１３２が読取対象の原稿の色を適切に読み取ることができる。
【０１３７】
白面部１２８は、プラテンガラス１２７上に載置される原稿を読取部１３２が読み取る際に、原稿の背景となる面である。白面部１２８の読取部１３２に対向する面は、白面部１３６と同様の理由により白色になっている。
【０１３８】
排紙台１１４は、読み取りが終わった原稿が載置されるための台である。
【０１３９】
図１８は、本実施の形態に係るスキャナの、図１４におけるＸＶＩＩＩ−ＸＶＩＩＩ断面の断面図である。
【０１４０】
図１８に示される搬送経路１２１は、給紙台１１２から排紙台１１４に至る、読み取り対象の原稿が搬送部１２２により搬送される搬送経路である。原稿は、搬送経路１２１に沿って搬送され読取部１３２及び反射部１３４等の近傍を通過する。
【０１４１】
給紙台１１２には、複数の原稿１５２が、読み取られる面を上にして載置されている。
【０１４２】
搬送部１２２は、給紙台１１２に載置されている複数の原稿１５２のうちの一枚の原稿を給紙し、その原稿を搬送経路１２１に沿って搬送する。搬送部１２２は、原稿を搬送経路１２１に沿って搬送するために１以上の箇所に設置されている。
【０１４３】
給紙スリット１２３は、原稿が給紙台１１２から搬出されるための開口部である。開口部を通過した原稿は、読取部１３２、反射部１３４、及び、白面部１３６の近傍を搬送されながら読み取られる。
【０１４４】
読取部１３２は、搬送経路１２１に対して一方の側に設けられている。また、搬送経路１２１に対して読取部１３２と反対側に反射部１３４及び白面部１３６が設けられている。
【０１４５】
排紙スリット１２５は、読取が終わった原稿を排紙台１１４へ搬出するための開口部である。排紙スリット１２５を通過した原稿は、排紙台１１４の原稿１５４の上に載置される。
【０１４６】
図１９は、本実施の形態に係るスキャナの機能ブロック図である。
【０１４７】
図１９に示されるように、スキャナ１０１は、搬送部１２２と、読取部１３２と、移動部１３３と、検出部１６６とを備える。また、読取部１３２は、照射部１６２と、受光部１６４とを備える。照射部１６２は、第三照射部に相当し、照射部１６２が照射する光を第三照射光ともいう。なお、既に説明した機能ブロックについては、詳細な説明を省略する。
【０１４８】
受光部１６４は、光を受光すると、受光した光の強度に応じて電圧を出力する。具体的には、受光部１６４は、より強い強度の光を受光すると、より大きな電圧を出力する。また、受光部１６４は、照射部１６２による照射光の白色面からの反射光を受光したときの光の強度を基準値として決定する。基準値に等しい強度の光を受光部１６４が受光したときの電圧は、基準電圧として予め定められている。基準電圧は、調整可能であり、例えば５００ｍＶである。白色面からの反射光を受光したときに受光部１６４が出力する電圧を調整することを、ホワイトバランスを調整する、とも表現する。
【０１４９】
このように基準値及び基準電圧を定めると、照射部１６２による照射光の、有色面からの反射光（拡散反射による反射光）を受光したときに受光部１６４が出力する電圧は、０以上５００ｍＶ以下の範囲に収まる。また、照射部１６２による照射光の反射部１３４からの反射光（鏡面反射による反射光）を受光部１６４が受光したときに受光部１６４が出力する電圧は、例えば７００ｍＶというように、基準電圧５００ｍＶを超える。鏡面反射による反射光は、拡散反射による反射光より強度が高いからである。
【０１５０】
検出部１６６は、受光部１６４が受光する光の強度に基づいて、原稿の前端が搬送経路１２１上の所定位置を通過したことを検知する。所定位置とは、搬送される原稿のうち読取部１３２により読み取られる部分の位置のことである。検出部１６６は、受光部１６４が鏡面反射による反射光を受光したか、又は、拡散反射による反射光を受光したかを区別するため、閾値電圧を有する。閾値電圧とは、基準電圧より高く、かつ、鏡面反射による反射光を受光部１６４が受光した場合の出力電圧より低い電圧であり、予め定められるものである。
【０１５１】
検出部１６６は、具体的には、受光部１６４が出力する電圧を取得し、取得した電圧と閾値電圧とを比較することで読取原稿の前端を検出する。検出部１６６は、受光部１６４が出力する電圧が閾値電圧より高い場合に、原稿の前端が未だ通過していないと判断する。一方、検出部１６６は、受光部１６４が出力する電圧が閾値電圧より低い場合に、原稿の前端が既に通過し、上記所定位置に原稿が存在していると判断する。そして、受光部１６４が出力する電圧を複数回取得した場合、閾値電圧より高い電圧を検出した後に、閾値電圧より低い電圧を検出したときに、検出部１６６は、原稿の前端が通過したことを検出する。
【０１５２】
図２０は、本実施の形態に係るスキャナの原稿端検出処理を示すフローチャートである。これらの図を参照しながら、搬送経路１２１に沿って原稿が搬送されながら読み取られる過程について説明する。
【０１５３】
ステップＳ２０１において、検出部１６６は、ホワイトバランスの調整を行う。具体的には、読取部１３２が白面部１３６又は白面部１２８の下部に移動する。そして、照射部１６２が光を照射し、白面部１３６又は白面部１２８からの反射光を受光部１６４が受光し、受光した光の強度に応じて電圧を出力する。ユーザは、受光部１６４が出力した電圧が５００ｍＶとなるように、検出部１６６における基準電圧を調整する。なお、基準電圧の調整は、検出部１６６が自律的に行ってもよい。
【０１５４】
ステップＳ２０２において、搬送部１２２が読取対象の原稿を搬送することを開始する。なお、原稿が搬送経路を搬送されながら、ステップＳ２０３からステップＳ２０６までの処理（後述）が進行する。
【０１５５】
ステップＳ２０３において、読取部１３２は、原稿の前端を検出するための位置（前端検知位置）に移動する。具体的には、前端検知位置とは、照射部１６２が出射した光が反射部１３４に鏡面反射されて受光部１６４が受光することとなる位置のことである。
【０１５６】
ステップＳ２０４及びステップＳ２０５において、読取部１３２は、照射部１６２及び受光部１６４を用いて原稿の前端を検出するための検出動作を行う。検出動作について、図２１Ａ及び図２１Ｂを参照しながら詳しく説明する。
【０１５７】
図２１Ａは、本実施の形態に係る読取部による原稿の前端の検出方法を示す第一の模式図である。図２１Ａは、スキャナ１０１の、照射部１６２及び受光部１６４を有する読取部１３２と、反射部１３４とを含む部分を拡大して示している。また、図２１Ａは、搬送経路１２１に沿って搬送される原稿１６１が、未だ、上記所定位置に至っていない状況を示している。
【０１５８】
照射部１６２は、搬送経路１２１上の所定位置に照射光を照射する。
【０１５９】
反射部１３４は、Ｘ軸に対して所定の角度θだけ傾けて配置されている。この角度θは、照射部１６２による照射光を反射部１３４により受光部１６４に向けて反射するのに適切な角度に設定されている。つまり、角度θは、照射部１６２及び受光部１６４の設置角度及び設置位置に基づいて定まるものである。図２１Ａに示される読取部１３２の位置が、前端検知位置に相当する。
【０１６０】
図２１Ａに示されるように、原稿１６１の前端が上記所定位置に到達する前には、照射部１６２による照射光は、反射部１３４に向かって進行し、反射部１３４により鏡面反射された後、受光部１６４に向かって進行し、受光部１６４により受光される。ここで、照射部１６２から照射され反射部１３４により反射された光を第四照射光ともいう。つまり、反射部１３４は、照射部１６２から照射される照射光を受光部１６４（読取部１３２）に向けて反射させることで、第四照射光を照射するともいえる。
【０１６１】
このとき、受光部１６４は、基準電圧を超える電圧を出力する。検出部１６６は、受光部１６４が出力した電圧を取得し、これが基準電圧を超えることから、原稿１６１の前端が、上記所定位置を未だ通過していないと判断する。この場合、スキャナ１０１は、当該検出動作（ステップＳ２０５）を再び行う。
【０１６２】
図２１Ｂは、本実施の形態に係る読取部による原稿の前端の検出方法を示す第二の模式図である。図２１Ａにおいて、搬送経路１２１に沿って搬送される原稿１６１が、上記所定位置を通過した後の状況を示している。
【０１６３】
図２１Ｂに示されるように、原稿１６１の前端が上記所定位置を通過した場合には照射部１６２による照射光は、原稿１６１により拡散反射される。拡散反射による反射光のうち受光部１６４に向かって進行する光が受光部１６４により受光される。このとき、受光部１６４は、基準電圧より低い電圧を出力する。検出部１６６は、受光部１６４が出力した電圧を取得し、これが基準値より低いことから、原稿１６１の前端が、上記所定位置を既に通過したと判断する。この場合、スキャナ１０１は、当該検出動作を終え、ステップＳ２０６に進む。
【０１６４】
なお、検出部１６６が受光部１６４が出力する電圧を複数回取得すれば、図２１Ａから図２１Ｂに至る途中で、照射部１６２による照射光を原稿１６１が遮る時点を決定することができる。そして、検出部１６６は、この時点を、原稿１６１の前端が上記所定位置を通過した時点として決定することができる。
【０１６５】
なお、検出部１６６が複数回電圧を取得するとしたが、少なくとも２回取得すれば、上記の決定が可能である。すなわち、検出部１６６は、受光部１６４から２回電圧を取得することにより、受光部１６４が１回目に受光した反射光の強度が閾値より高く、かつ、受光部１６４が２回目に受光した反射光の強度が閾値以下であることを検出することにより、１回目に受光した時刻と２回目に受光した時刻との間の時刻に端部が通過したことを検知する。
【０１６６】
図２０に戻り、ステップＳ２０６において、読取部１３２は、原稿１６１の読取を行う。読取動作について、図２２を参照しながら詳しく説明する。
【０１６７】
図２２は、本実施の形態に係る読取部による原稿の読み取り方法を示す模式図である。
【０１６８】
ステップＳ２０５で原稿１６１の前端が検出された場合、読取部１３２は、白面部１３６の下部に移動する。図２２に示される読取部１３２の位置のことをＡＤＦ読取位置ともいう。
【０１６９】
読取部１３２は、ＡＤＦ読取位置において、原稿１６１の読取を行う。ここで、原稿１６１の読取は、原稿１６１の前端が上記所定位置を通過した時点から開始するようにする。この時点は、ステップＳ２０５で検出部１６６が原稿１６１の前端を検出した時点から、原稿１６１が上記所定位置まで搬送されるのに要する時間（＝前端検知位置からＡＤＦ読取位置までの距離／搬送速度）を経過した時点として決定される。
【０１７０】
ここで、読取部１３２が原稿１６１を読み取る際に白面部１３６を背景として読み取るので、より適切な色を読み取ることができる。
【０１７１】
なお、読取部１３２は、必ずしも白面部１３６を背景として原稿１６１を読み取らなくてもよい。例えば、読取部１３２は、ＡＤＦ読取位置から移動せずに、反射部１３４を背景として原稿１６１の読取を行ってもよい。その場合、白面部１３６を背景として読み取る場合と比較して色が正しく読み取れない可能性がある。なぜなら、読取部１３２は、白面を背景として原稿１６１を読み取ることを意図して、原稿１６１からの反射光の強度を読取値（色）に変換しているからである。色が正しく読み取れなかった場合、適切に補正することで正しい色を得ることも可能である。
【０１７２】
なお、読取部１３２の位置を維持したまま、白面部１３６を移動させてもよい。具体的には、反射部１３４と読取部１３２との間に白面部１３６を移動させてもよい。これでも、白面部１３６を背景として原稿１６１の読み取りを行うことができる。
【０１７３】
以上のように、本実施の形態に係るスキャナは、原稿を読み取るために搭載されている読取部を用いて適切に原稿の前端を検知することができる。読取部は、原稿を読み取るときには原稿の拡散反射による反射光を受光する一方、読取対象の位置に原稿がないときは反射部の鏡面反射による反射光を受光する。この特徴を利用し、検出部は、これらの反射光を区別し、鏡面反射による反射光を受光する状態から拡散反射による反射光を受光する状態に変化したときに原稿の前端を検知する。このように読取センサにより原稿の前端を検出することができるので、原稿検出センサを別途搭載する必要がない。よって、原稿検出センサと読取センサとを共用するとともに原稿前端の誤検出を抑制することができる。
【０１７４】
（実施の形態４）
本実施の形態において、原稿読取センサを用いて適切に原稿サイズを検出し、また、原稿検出センサと読取センサとを共用するとともに原稿前端の誤検出を抑制するスキャナについて説明する。なお、このスキャナは、原稿検出センサと読取センサとを共用するとともに原稿前端の誤検出を抑制するスキャナとして独立して実現することも可能である。
【０１７５】
このスキャナは、ＡＤＦにより原稿を順次搬送しながら読み取りを行うＡＤＦスキャナであり、背面から前面に原稿を通過させながら読み取りを行うＡＤＦスキャナである。
【０１７６】
図２３は、本実施の形態に係るスキャナの外観図である。図２４は、本実施の形態に係るスキャナの、図２３におけるＸＸＩＶ−ＸＸＩＶ断面の断面図である。
【０１７７】
図２３及び図２４に示されるように、スキャナ１０２は、給紙台１１２Ａと、排紙台１１４Ａと、搬送部１２２Ａと、読取部１３２Ａと、移動部１３３Ａと、反射部１３４Ａと、白面部１３６Ａとを備える。各構成要素の機能について、実施の形態３における同名の構成要素と異なる点について説明する。実施の形態３と同じ点については説明を省略する。
【０１７８】
給紙台１１２Ａは、読取対象の原稿が載置されるための台であり、スキャナ１０２の背面に設けられている。給紙台１１２Ａには、複数の原稿が載置されることもある。
【０１７９】
排紙台１１４Ａは、読み取りが終わった原稿が載置されるための台であり、スキャナ１０２の前面に設けられている。
【０１８０】
搬送部１２２Ａは、給紙台１１２に載置されている原稿のうちの一枚の原稿を給紙し、搬送経路１２１Ａに沿って搬送する。搬送経路１２１Ａは、背面に設けられた給紙台１１２Ａから、前面に設けられた排紙台１１４Ａに向かって、ほぼ直線的に構成されている。
【０１８１】
読取部１３２Ａは、搬送経路１２１Ａに対して一方の側に設けられている。また、搬送経路１２１Ａに対して読取部１３２Ａと反対側に反射部１３４Ａ及び白面部１３６Ａが設けられている。
【０１８２】
移動部１３３Ａは、搬送経路１２１Ａに沿って、反射部１３４Ａに対向する位置と白面部１３６Ａに対向する位置との間で読取部１３２Ａを移動させる。
【０１８３】
以上のように、本発明によれば、搬送経路が直線的であるＡＤＦスキャナにおいても、原稿検出センサと読取センサとを共用するとともに原稿前端の誤検出を抑制することができる。
【０１８４】
なお、上記の実施の形態の一部又は全部は、以下のようにも記載され得るが、以下の記載に限定されない。
【０１８５】
（１）搬送経路に沿って読み取り対象の原稿を搬送する搬送部と、前記搬送経路に対して一方の側に設けられる読取部であって、前記搬送経路上の所定位置に照射光を照射する照射部と、光を受光する受光部とを有する読取部と、前記搬送経路に対して前記読取部と反対側に設けられ、前記照射光を前記受光部に向けて反射する反射部と、前記受光部が受光する光の強度に基づいて、前記原稿の搬送方向前方側の端部が前記所定位置を通過したことを検知する検出部とを備える画像読取装置。
【０１８６】
（２）前記反射部は、前記照射光を前記受光部に向けて鏡面反射により反射し、前記検出部は、前記所定位置に搬送された前記原稿が前記照射光を拡散反射することで、前記受光部が受光する光の強度が閾値より低くなったことを検出することにより、前記原稿の搬送方向前方側の端部が前記所定位置を通過したことを検知する（１）に記載の画像読取装置。
【０１８７】
（３）前記受光部は、第一時刻と、前記第一時刻より後の第二時刻とのそれぞれに光を受光し、前記検出部は、前記受光部が前記第一時刻に受光した光の強度が前記閾値より高く、かつ、前記受光部が前記第二時刻に受光した光の強度が前記閾値以下であることを検出することにより、前記第一時刻と前記第二時刻との間の時刻に前記端部が通過したことを検知する（２）に記載の画像読取装置。
【０１８８】
（４）前記スキャナは、さらに、前記搬送経路に対して前記読取部と反対側に設けられ、前記照射部に対向する面が白面である白面部を備え、前記照射部は、前記検出部が前記端部を検出した場合に、前記白面部に向けて光を照射し、前記受光部は、前記原稿の読取面と反対側の面が前記白面部に対向している状態において、前記照射部が照射した光を前記読取面が拡散反射した反射光を受光することで、前記原稿の読み取りを行う（２）又は（３）に記載の画像読取装置。
【０１８９】
（５）前記反射部と前記白面部とは、前記搬送経路に沿って並んで配置されており、前記読取部は、さらに、前記搬送経路に沿って移動可能であり、前記読取部は、（ｉ）前記反射部に対向する位置において前記反射部からの反射光を受光し、（ｉｉ）前記検出部が前記端部を検出した場合に前記白面部に対向する位置に移動し、（ｉｉｉ）前記白面部に対向する位置において前記原稿の読み取りを行う（４）に記載の画像読取装置。
【０１９０】
（６）前記閾値は、前記照射光の前記白面部による反射光を前記受光部が受光する場合の強度より大きく、かつ、前記照射光の前記反射部による反射光を前記受光部が受光する場合の強度より小さい（４）又は（５）に記載の画像読取装置。
【０１９１】
（７）前記読取部は、ＣＩＳ（Ｃｏｎｔａｃｔ  Ｉｍａｇｅ  Ｓｅｎｓｏｒ）ユニットである（１）〜（６）のいずれかに記載の画像読取装置。
【０１９２】
上記（１）によれば、スキャナは、原稿を読み取るために搭載されている読取部を用いて適切に原稿の前端を検知することができる。読取部は、反射部からの反射光を受光するか否かに基づいて原稿の前端を検知する。読取センサにより原稿の前端を検出することができるので、スキャナは、原稿検出センサを別途搭載する必要がない。よって、原稿検出センサと読取センサとを共用するとともに原稿前端の誤検出を抑制することができる。
【０１９３】
上記（２）によれば、スキャナは、原稿を読み取るために搭載されている読取部を用いて適切に原稿の前端を検知することができる。読取部は、原稿を読み取るときには原稿の拡散反射による反射光を受光する一方、読取対象の位置に原稿がないときは反射部の鏡面反射による反射光を受光する。この特徴を利用し、検出部は、これらの反射光を区別し、鏡面反射による反射光を受光する状態から拡散反射による反射光を受光する状態に変化したときに原稿の前端を検知する。このように読取センサにより原稿の前端を検出することができるので、原稿検出センサを別途搭載する必要がない。よって、原稿検出センサと読取センサとを共用するとともに原稿前端の誤検出を抑制することができる。
【０１９４】
上記（３）によれば、スキャナは、受光部による２回の受光により得た光の強度に基づいて、原稿の前端を検知する。具体的には、２回のうちの１回目に反射部の鏡面反射による反射光を受光部が受光し、２回のうちの２回目に原稿の拡散反射による反射光を受光部が受光した場合に、この２回の受光の間の時刻に原稿の前端が通過したことを検知する。これにより、より具体的に原稿前端の誤検出を抑制することができる。
【０１９５】
上記（４）によれば、スキャナは、白い面を背景として原稿の読み取りを行う。これにより、原稿上の色をより正しく読み取ることができる。
【０１９６】
上記（５）によれば、読取部を移動させることで、反射部への光の照射と、白面部への光の照射とのそれぞれを適切に行うことができる。
【０１９７】
上記（６）によれば、検出部は、受光部が受光する光の強度についての閾値との大小判定により、より適切に原稿の端部を検出することができる。よって、スキャナは原稿前端の誤検出を抑制することができる。
【０１９８】
上記（７）によれば、スキャナは、従来スキャナに用いられているＣＩＳユニットを利用して、原稿検出センサと読取センサとを共用するとともに原稿前端の誤検出を抑制することができる。
【０１９９】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０２００】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０２０１】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０２０２】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０２０３】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０２０４】
また、本発明は、上記コンピュータプログラムまたは上記デジタル信号を、電気通信回線、無線または有線通信回線、インターネットを代表とするネットワーク、データ放送等を経由して伝送するものとしても良い。
【０２０５】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０２０６】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０２０７】
さらに、上記実施の形態をそれぞれ組み合わせるとしても良い。
【産業上の利用可能性】
【０２０８】
本発明は、原稿読取センサを用いて適切に原稿サイズを検出するスキャナに利用可能である。具体的には、ＡＤＦを搭載したスキャナに利用可能である。
【符号の説明】
【０２０９】
１、２、１０１、１０２    スキャナ
１１、１１１    カバー部
１２、１２Ａ、１１２、１１２Ａ    給紙台
１４、１４Ａ、１１４、１１４Ａ    排紙台
１５、１１５    本体部
２１、２１Ａ、１２１、１２１Ａ    搬送経路
２２、２２Ａ、１２２、１２２Ａ    搬送部
２３、１２３    給紙スリット
２４、２７、１２４、１２７    プラテンガラス
２５、１２５    排紙スリット
２８、１２８、１３６、１３６Ａ    白面部
３２、３２Ａ、１３２、１３２Ａ    読取部
３４、３４Ａ    照射部
３６、３６Ａ    ローラ
５２、５４、６１、１５２、１５４、１６１    原稿
６２、１６２    照射部
６４、１６４    受光部
６６、１６６    検出部
１３３、１３３Ａ    移動部
１３４、１３４Ａ    反射部
【図１】
2016015718.tif 000003
【図２】
2016015718.tif 000004
【図３】
2016015718.tif 000005
【図４】
2016015718.tif 000006
【図５】
2016015718.tif 000007
【図６】
2016015718.tif 000008
【図７】
2016015718.tif 000009
【図８】
2016015718.tif 000010
【図９】
2016015718.tif 000011
【図１０】
2016015718.tif 000012
【図１１】
2016015718.tif 000013
【図１２】
2016015718.tif 000014
【図１３】
2016015718.tif 000015
【図１４】
2016015718.tif 000016
【図１５】
2016015718.tif 000017
【図１６】
2016015718.tif 000018
【図１７】
2016015718.tif 000019
【図１８】
2016015718.tif 000020
【図１９】
2016015718.tif 000021
【図２０】
2016015718.tif 000022
【図２１Ａ】
2016015718.tif 000023
【図２１Ｂ】
2016015718.tif 000024
【図２２】
2016015718.tif 000025
【図２３】
2016015718.tif 000026
【図２４】
2016015718.tif 000027